(57)【要約】【課題】  携帯情報端末の操作を容易とすることが可能であり、かつ、サーバとの接続が困難であるような作業現場においても使用可能である、作業支援システム、作業支援システム用ＩＣタグおよび作業支援システム用携帯情報端末を提供する。【解決手段】  ＩＣタグと、ＩＣタグリーダを有する携帯情報端末とを備え、前記ＩＣタグには、少なくとも、変数初期値と実行プログラムとが格納され、前記ＩＣタグリーダを用いて、前記ＩＣタグの前記変数初期値が取得可能であり、また、前記ＩＣタグリーダを用いて、前記ＩＣタグの前記実行プログラムが取得可能であり、前記携帯情報端末において、前記ＩＣタグリーダで読み取った実行プログラムを実行可能であることを特徴とする。【選択図】  図１
2011170428.tif 000002
【特許請求の範囲】
【請求項１】
ＩＣタグと、ＩＣタグリーダを有する携帯情報端末とを備え、
前記ＩＣタグには、少なくとも、変数初期値と実行プログラムとが格納され、
前記ＩＣタグリーダを用いて、前記ＩＣタグの前記変数初期値が取得可能であり、
また、前記ＩＣタグリーダを用いて、前記ＩＣタグの前記実行プログラムが取得可能であり、
前記携帯情報端末において、前記ＩＣタグリーダで読み取った実行プログラムを実行可能であることを特徴とする作業支援システム。
【請求項２】
前記ＩＣタグが動作環境用ＩＣタグを含み、
前記動作環境用ＩＣタグには、前記変数初期値と前記実行プログラムとが、前記動作環境用ＩＣタグの設置されるロケーションに合わせて格納されており、
前記実行プログラムが前記ロケーションにおける動作環境を管理するプログラムであることを特徴とする、請求項１記載の作業支援システム。
【請求項３】
前記ロケーションが、作業単位毎に用意されていることを特徴とする、請求項２記載の作業支援システム。
【請求項４】
前記変数初期値が、表示領域と座標系の定義を含むことを特徴とする、請求項１から３のいずれか一項に記載の作業支援システム。
【請求項５】
前記ＩＣタグが作業者特定用ＩＣタグを含み、
前記作業者特定用ＩＣタグには、前記変数初期値と前記実行プログラムとが、前記作業者特定用ＩＣタグが特定しようとする作業者に合わせて格納されており、
前記実行プログラムが前記作業者における動作環境を管理するプログラムであることを特徴とする、請求項１から４のいずれか一項に記載の作業支援システム。
【請求項６】
前記ＩＣタグが、特定のメンテナンスを行うためのメンテナンス機能用ＩＣタグを含み、
前記メンテナンス機能用ＩＣタグには、前記特定のメンテナンス用の変数初期値と、前記特定のメンテナンスを行うための実行プログラムとが格納されており、
前記実行プログラムが前記特定のメンテナンスにおける動作環境を管理するプログラムであることを特徴とする、請求項１から５のいずれか一項に記載の作業支援システム。
【請求項７】
前記携帯情報端末が、ＩＣタグの使用電波帯に応じた複数種類のＩＣタグリーダを有し、
第一の使用電波帯を用いた第一の種類のＩＣタグには、前記第一の種類のＩＣタグに格納されたデータを読み取った後に起動する、前記第一の種類のＩＣタグの次に読み取る第二の種類のＩＣタグの使用電波帯用のＩＣタグリーダへの切り替えプログラムが格納されており、
第二の使用電波帯を用いた第二の種類のＩＣタグには、前記第二の種類のＩＣタグに格納されたデータを読み取った後に起動する、前記第二の種類のＩＣタグの次に読み取るＩＣタグの使用電波帯用のＩＣタグリーダへの切り替えプログラムが格納されていることを特徴とする、請求項１から６のいずれか一項に記載の作業支援システム。
【請求項８】
請求項１から７のいずれか一項に記載の作業支援システムに使用され、
少なくとも、変数初期値と実行プログラムとが格納されていることを特徴とする作業支援システム用ＩＣタグ。
【請求項９】
ＩＣタグリーダを有し、
請求項１から７のいずれか一項に記載の作業支援システムに使用され、
請求項８記載の作業支援システム用ＩＣタグに格納された実行プログラムと連動して実行される実行プログラムが格納されていることを特徴とする作業支援システム用携帯情報端末。
【発明の詳細な説明】
【技術分野】
【０００１】
本発明は、作業支援システム、作業支援システム用ＩＣタグおよび作業支援システム用携帯情報端末に関する。
【背景技術】
【０００２】
近年、ＩＣタグを使って物品を認識するＲＦＩＤ（Ｒａｄｉｏ  Ｆｒｅｑｕｅｎｃｙ  Ｉｄｅｎｔｉｆｉｃａｔｉｏｎ）技術が注目されている（例えば、特許文献１参照）。例えば、工場現場、建設現場、農業現場等の作業現場においても、ＩＴ化が急速に進み、前記ＲＦＩＤ技術がこれらの現場でも導入の動きが進んでいる。例えば、工場では、ベルトコンベアや台車等により部品が搬送され、複数の部品が多くの工程で組み立てられて製品化される。ここで、各部品にＩＣタグを付することによって、組み立てられた製品の、前記各工程で用いた部品ベースでの識別、管理等を行うことができる。
【０００３】
上記の識別、管理等を行う場合、各工程において、部品に付されたＩＣタグを携帯情報端末（ＰＤＡ：Ｐｅｒｓｏｎａｌ  Ｄｉｇｉｔａｌ  Ａｓｓｉｓｔａｎｔ、あるいは、Ｐｅｒｓｏｎａｌ  Ｄａｔａ  Ａｓｓｉｓｔａｎｃｅ）を操作して、前記ＩＣタグに格納された部品情報を読み取り、新たに組み立てられた製品の情報と前記部品情報との関連付けを行う、といった作業が必要となる。また、前記製品情報を更新した後に、サーバに前記製品情報を送信するという操作も必要である。このように、ＩＴ、ＩＣＴ（Ｉｎｆｏｒｍａｔｉｏｎ  ａｎｄ  Ｃｏｍｍｕｎｉｃａｔｉｏｎｓ  Ｔｅｃｈｎｏｌｏｇｙ）の普及が進む中、作業現場での情報入力や情報の参照が必要とされている。
【０００４】
しかし、前記の作業現場において、現場作業者がＰＤＡを使いこなすことは困難である。また、ＰＤＡの操作自体が複雑なものではない場合であっても、作業工程を多数の現場作業者が交代しつつ行ったり、日々の作業内容が変化するような現場では、作業者の交代や作業内容の変化のたびに、各現場作業者が行う作業工程に応じたＰＤＡの操作方法等を、個々に認識させる必要がある。また、作業現場によっては、サーバとの接続が困難である場合もある。
【先行技術文献】
【特許文献】
【０００５】
【特許文献１】特開２００９−２５１９１９号公報
【発明の概要】
【発明が解決しようとする課題】
【０００６】
そこで、本発明は、携帯情報端末の操作を容易とすることが可能であり、かつ、サーバとの接続が困難であるような作業現場においても使用可能である、作業支援システム、作業支援システム用ＩＣタグおよび作業支援システム用携帯情報端末を提供することを目的とする。
【課題を解決するための手段】
【０００７】
本発明の作業支援システムは、ＩＣタグと、ＩＣタグリーダを有する携帯情報端末とを備え、
前記ＩＣタグには、少なくとも、変数初期値と実行プログラムとが格納され、
前記ＩＣタグリーダを用いて、前記ＩＣタグの前記変数初期値が取得可能であり、
また、前記ＩＣタグリーダを用いて、前記ＩＣタグの前記実行プログラムが取得可能であり、
前記携帯情報端末において、前記ＩＣタグリーダで読み取った実行プログラムを実行可能であることを特徴とする。
【０００８】
本発明の作業支援システム用ＩＣタグは、前記本発明の作業支援システムに使用され、少なくとも、変数初期値と実行プログラムとが格納されていることを特徴とする。
【０００９】
本発明の作業支援システム用携帯情報端末は、ＩＣタグリーダを有し、前記本発明の作業支援システムに使用され、前記本発明の作業支援システム用ＩＣタグに格納された実行プログラムと連動して実行される実行プログラムが格納されていることを特徴とする。
【発明の効果】
【００１０】
本発明によれば、携帯情報端末の操作を容易とすることが可能であり、例えば、ＩＴに不慣れな作業者にとっても、携帯情報端末を容易に使いこなせる作業支援システムを提供することができる。また、前記作業支援システムは、サーバとの接続が困難であるような作業現場においても使用可能である。
【図面の簡単な説明】
【００１１】
【図１】図１は、本発明の作業支援システムの処理の流れの一例を示すフローチャート図である。
【図２（ａ）】図２（ａ）は、本発明の作業支援システムでの動作の一例を示す説明図である。
【図２（ｂ）】図２（ｂ）は、関連技術におけるシステムでの動作の一例を示す説明図である。
【図３】図３は、出荷前製品置き場を上から見た概念図である。
【図４】図４は、ＩＣタグに格納された実行プログラムの実行例を示す図である。
【図５】図５は、本発明の作業支援システムにおけるＩＣタグに格納される変数初期値および実行プログラムのデータ作成の一例を示す構成図である。
【図６】図６は、本発明の作業支援システムにおけるＰＤＡに格納される変数初期値および実行プログラムのデータ作成の一例を示す構成図である。
【図７】図７は、本発明の作業支援システムにおける実行プログラムの構成の一例を示す構成図である。
【図８】図８は、本発明の作業支援システムの処理の流れのその他の例を示すフローチャート図である。
【図９】図９は、ＩＣタグに格納される実行プログラムの格納イメージを示す図である。
【図１０】図１０は、本発明の作業支援システムにおける実行プログラムの構成のその他の例を示す構成図である。
【図１１】図１１は、前記その他の例により奏される効果の一例を、関連技術の例と対比して示す模式図である。
【図１２】図１２は、本発明の作業支援システムに用いるＩＣタグリーダライタを有する携帯情報端末の一例である。
【図１３】図１３は、前記携帯情報端末を使用する場合のＩＣタグに格納されたデータの構成の一例を示す構成図である。
【発明を実施するための形態】
【００１２】
本発明の作業支援システムは、前記ＩＣタグが動作環境用ＩＣタグを含み、前記動作環境用ＩＣタグには、前記変数初期値と前記実行プログラムとが、前記動作環境用ＩＣタグの設置されるロケーションに合わせて格納されており、前記実行プログラムが前記ロケーションにおける動作環境を管理するプログラムであることが好ましい。
【００１３】
本発明の作業支援システムは、前記ロケーションが、作業単位毎に用意されていることが好ましい。
【００１４】
本発明の作業支援システムは、前記変数初期値が、表示領域と座標系の定義を含むことが好ましい。
【００１５】
本発明の作業支援システムは、前記ＩＣタグが作業者特定用ＩＣタグを含み、前記作業者特定用ＩＣタグには、前記変数初期値と前記実行プログラムとが、前記作業者特定用ＩＣタグが特定しようとする作業者に合わせて格納されており、前記実行プログラムが前記作業者における動作環境を管理するプログラムであることが好ましい。
【００１６】
本発明の作業支援システムは、前記ＩＣタグが、特定のメンテナンスを行うためのメンテナンス機能用ＩＣタグを含み、前記メンテナンス機能用ＩＣタグには、前記特定のメンテナンス用の変数初期値と、前記特定のメンテナンスを行うための実行プログラムとが格納されており、前記実行プログラムが前記特定のメンテナンスにおける動作環境を管理するプログラムであることが好ましい。
【００１７】
本発明の作業支援システムは、前記携帯情報端末が、ＩＣタグの使用電波帯に応じた複数種類のＩＣタグリーダを有し、第一の使用電波帯を用いた第一の種類のＩＣタグには、前記第一の種類のＩＣタグに格納されたデータを読み取った後に起動する、前記第一の種類のＩＣタグの次に読み取る第二の種類のＩＣタグの使用電波帯用のＩＣタグリーダへの切り替えプログラムが格納されており、第二の使用電波帯を用いた第二の種類のＩＣタグには、前記第二の種類のＩＣタグに格納されたデータを読み取った後に起動する、前記第二の種類のＩＣタグの次に読み取るＩＣタグの使用電波帯用のＩＣタグリーダへの切り替えプログラムが格納されていることが好ましい。
【００１８】
以下、本発明の作業支援システム、作業支援システム用ＩＣタグおよび作業支援システム用携帯情報端末について、詳細に説明する。ただし、本発明は、以下の実施形態に限定されない。
【００１９】
（実施形態１）
図１のフローチャートに、本発明の作業支援システムの基本的な処理の流れの一例を示す。例えば、作業者ａが建設現場Ａに関する作業を行う場合について説明する。図示のように、作業者ａは、ＩＣタグリーダを有するＰＤＡの電源を入れ（Ｓ１）、前記ＩＣタグリーダで建設現場Ａの動作環境データが格納されているＡ環境用のＩＣタグ（動作環境用ＩＣタグ）を読み込む（Ｓ２）。前記動作環境用ＩＣタグには、例えば、建設現場Ａに合わせたシステムの変数初期値および実行プログラムが書かれている。前記変数初期値としては、表示領域や座標系の定義を含んでいてもよい。前記実行プログラムとしては、建材の置き方や、現場での作業階に合わせたプログラム、カメラで撮影した写真の保存先、画像変換や付加情報等を処理するプログラム等をあげることができる。次いで、前記ＩＣタグリーダで作業者ａ用のＩＣタグ（作業者特定用ＩＣタグ）を読み込む（Ｓ３）。前記作業者特定用ＩＣタグには、例えば、作業者ａの特性や好みに合わせたシステムの変数初期値および実行プログラムが格納されている。例えば、色覚異常を有する作業者の場合には、ＰＤＡの画面上の表示色を識別がし難い色の組み合わせを避けて設定する、等することができる。このように、予め前記作業者特定用ＩＣタグに作業者固有のデータを格納しておくことにより、作業者は、前記作業者特定用ＩＣタグをＰＤＡで読み込むだけで、ＰＤＡを自身に適した動作環境に設定することができる。したがって、ユニバーサルデザインの考え方にも適合したシステムとすることができる。そして、前記Ｓ２工程および前記Ｓ３工程でデータを読み込んだＰＤＡは、前記データを参照して、変数初期値を設定する初期化処理を行う（Ｓ４）。前記初期化処理Ｓ４においては、前記各実行プログラムをインタプリタ方式で高速実行するために、前記各実行プログラムを文字列型変数等に格納するとよい。前記初期化処理Ｓ４を完了すると、ＰＤＡ画面には、建設現場Ａにおけるロケーションのレイアウト図や、作業者ａが行うべき作業内容等のメニューが、作業者ａに適した状態で表示され、作業者ａは、前記メニューに従った作業およびＰＤＡ操作を行う（ロケーション操作（Ｓ５））。
【００２０】
図２（ａ）は、本発明の作業支援システムでの動作の一例を示す説明図である。また、図２（ｂ）に、本発明によらないシステムで、同様の作業を行う場合の動作の一例の説明図を、図２（ａ）に対比させて示す。ここでは、製造工場にて、製品である建材を製造し、製造が完了したものを出荷前製品置き場に移動し、出荷を待っている状態でのロケーション管理の例を示す。特定の製品を出荷する作業を、作業者がＰＤＡ画面の表示に従い作業する場合において、本発明によらないシステムでは、図２（ｂ）に示すように、次のような操作となる。すなわち、作業者の持つＰＤＡ画面には、第一段階では、「建材配置」、「移動」、「出荷」等の作業メニュー選択画面が表示されている。そこで、「出荷」メニューを選択すると、敷地全体のレイアウトが表示される。次に、対象の製品を特定するために、「拡大」メニューを選択し、拡大操作画面にて、拡大したい場所を選択して拡大の指示をする。拡大したい場所が拡大表示され、初めて対象の製品を特定することができる。それに対して、本発明の作業支援システムでは、図２（ａ）に示すように、次のような操作となる。まず、作業者は、特定の出荷先の初期値および実行プログラムが格納されたＩＣタグを、ＰＤＡに付属のＩＣタグリーダで読み取る。前記初期値としては、前記特定の出荷先毎にわかりやすい表示領域と座標系が定義されている。図３に、出荷前製品置き場を上から見た概念図を示す。例えば、斜線が付加された場所に対象となる特定の出荷先向けの製品が配置されている場合、（ｘ，ｙ）座標系の原点（０，０）を斜線の領域の付近で定義する。さらに、斜線の領域の大きさにあわせた幅を表示領域として定義する。前記ＩＣタグを読み込んだ後、作業者の持つＰＤＡ画面には、第一段階では、「建材配置」、「移動」、「出荷」等の作業メニュー選択画面が表示されている。そこで、「出荷」メニューを選択すると、特定の出荷先向けの製品が配置されている場所を適切な大きさに拡大表示した敷地のレイアウトが表示され、即座に対象の製品を特定することができる。出荷先毎のＩＣタグには、例えば、出荷先データ、ロケーション原点、ロケーションのｘ軸およびｙ軸とそれらの幅、ＰＤＡ起動時（出荷先単位の起動）の変数初期値、ＰＤＡ起動時（出荷先単位の起動）の実行プログラム、製品を置く時の変数初期値、製品を置く時の実行プログラム、移動時の変数初期値、移動時の実行プログラム、出荷時の変数初期値、出荷時の実行プログラム、製品置き場のレイアウト図、製品情報等を格納しておくことができる。
【００２１】
図４は、本発明におけるＩＣタグに格納された実行プログラムの実行例を示す図である。黒い星印は、ＩＣタグに書き込まれる変数初期値または実行プログラムを示す。前記初期化処理Ｓ４における初期変数値の設定において、Ｓ２工程またはＳ３工程で読み込んだＡ環境用のＩＣタグデータまたは作業者ａ用のＩＣタグデータに、変数初期値ａ１、ａ２、ａ３等の設定があるかどうかを判断する（ｉｆ）。前記設定があれば、読み込んだ変数初期値を環境初期値として設定する。もし、読み込んだ前記ＩＣタグデータに前記変数初期値ａ１、ａ２、ａ３等の設定が含まれていなければ（ｅｌｓｅ）、システム既定値を環境初期値とし、本工程は終了する（ｅｎｄ）。引き続いて、ロケーション操作Ｓ５に入る（Ｌｏｏｐ）。ロケーション操作Ｓ５においては、読み込んだ前記ＩＣタグデータに建材表示情報があるかどうかを判断する（ｉｆ）。前記建材表示情報があれば、その建材を画面表示する。前記画面表示に必要なデータは、前記ＩＣタグに格納されている。読み込んだ前記データに建材表示情報がなければ（ｅｌｓｅ）、Ｌｏｏｐを抜け、実行プログラムは終了する（ｅｎｄ）。例えば、起動時に当日に出荷すべき製品を赤色表示させる場合、「変数初期値（色）＝赤」のデータをＩＣタグに設定しておく。そうすると、前記データが環境初期値として設定される。実行プログラムは、出荷予定日比較で一致するかどうかを判断する（ｉｆ）。出荷予定日が一致する製品があれば、その製品を赤色表示する。一致する製品がなければ（ｅｌｓｅ）、実行プログラムは終了する（ｅｎｄ）。前記の図２（ａ）の例においては、出荷すべき建材がある場合には、対象の建材の場所を特定する表示がされる。例えば、出荷がすべて完了しているなどして出荷すべき建材がない場合には、表示はなされず、実行プログラムは終了する。
【００２２】
次に、図５に、前記各ＩＣタグに格納される変数初期値および実行プログラムのデータ作成の一例の構成図を示す。まず、テキスト形式のＪＡＶＡ（登録商標）、Ｃ言語等の一般的なプログラミング言語で実行プログラム（実行ＰＧ）を作成する。次に、作成した一般的なプログラミング言語での実行プログラムをコンパイラにより変換して、実行プログラムのデータ量圧縮と、実行効率を上げるためのデータを作成する。変換後の実行プログラムデータは、データベースに格納する。そして、データベースに格納されたＩＣタグ格納用の実行プログラムデータを、ＲＦＩＤリーダライタ等を用いて、ＩＣタグに書き込む。
【００２３】
図６に、前記ＰＤＡに格納される実行プログラムのデータ作成の一例の構成図を示す。前記ＰＤＡに格納される実行プログラムは、ＩＣタグに格納された実行プログラムを、穴埋めで呼び出す方式で作成する。まず、テキスト形式のＪＡＶＡ（登録商標）、Ｃ言語等の一般的なプログラミング言語で実行プログラムを作成する。次に、作成した一般的なプログラミング言語での実行プログラムをコンパイラにより変換して、実行プログラムのデータ量圧縮と、実行効率を上げるためのデータを作成する。変換後の実行プログラムは、ＩＣタグに書き込まれた実行プログラムとリンク可能な、リンケージエディタとともに、データベースに格納する。そして、データベースに格納されたＰＤＡの実行プログラムデータを、ＰＤＡにコピーし、登録する。
【００２４】
図７に、本発明の作業支援システムにおける実行プログラムの構成の一例を示す構成図を示す。本構成図では、前記各ＩＣタグに格納された実行プログラムと、前記ＰＤＡに格納された実行プログラムとの連動イメージを示している。Ａ環境用のＩＣタグには、Ａ環境用の実行プログラムが書き込まれている。作業者ａ用のＩＣタグには、作業者ａが使いやすい実行プログラムが書き込まれている。作業者ａが、ＰＤＡで前記Ａ環境用のＩＣタグを読み込むと、ＰＤＡ内に格納されているＰＤＡ動作環境設定プログラムおよび作業別の固有プログラムが、インタプリタ方式で呼び出され、実行される。次に、作業者ａが、ＰＤＡで前記作業者ａ用のＩＣタグを読み込むと、ＰＤＡ内に格納されている作業者毎の固有設定プログラムが、インタプリタ方式で呼び出され、実行される。
【００２５】
本発明の作業支援システムは、ＰＤＡ等の携帯端末（携帯電話、スマートフォン、タブレットＰＣ等の携帯できる端末も含む）に格納されたプログラムをできるだけ減らし、減らしたプログラムはＩＣタグに格納しておくことが特徴である。作業目的に合わせて、プログラムが格納されているＩＣタグを読み込んで、そのプログラムを実行することで、ＰＤＡ等の携帯端末の実行環境の自由度が高まる。
【００２６】
さらに、本発明の作業支援システムでは、ＰＤＡに格納されるプログラムに関しても、変数初期値と実行プログラムの生成を、各作業者がＰＤＡにて定義してもよい。前記作業者が定義した結果を、変数初期値と実行プログラムの形式で、ＩＣタグに書き込む。次回、その作業者がＰＤＡ操作をするときに、自身が定義した結果を書き込んだＩＣタグを読み込むことで、その作業者が使いやすい設定とすることが容易にできる。このように現場作業者の使い勝手に柔軟な対応が可能となる。操作手順や機能範囲を、システム開発時に確定しないことも可能となる。
【００２７】
また、ＩＣタグに変数初期値や実行プログラムが格納されているので、例えば、工場での出荷前製品置き場等の、サーバとの有線ＬＡＮ接続ができない場所、電源を引けない場所、無線ＬＡＮ接続ができない場所等において、前記ＩＣタグを利活用することで、フリーロケーションでも製品のロケーション管理が簡単に行える仕組みを提供することができる。
【００２８】
本実施形態においては、ＰＤＡによって、ローカルなロケーション管理を可能とするが、必要に応じて、ＰＤＡをサーバと接続できる場所に移動後、ＰＤＡに保存している情報をサーバと送受信することで、製品ロケーション情報をサーバ管理することも可能になる。その際、例えば、製品に製品情報の格納されたＩＣタグを付与しておき、出荷等の作業時にＰＤＡで前記製品のＩＣタグを読み込み、作業後に前記サーバに製品情報を送信することにより、サーバによる情報管理を行ってもよい。
【００２９】
前記各ＩＣタグとしては、メモリ容量の大きなＩＣタグを選定することが好ましい。例えば、現在製品化されているメモリ領域サイズが大きい、８０００ＢｙｔｅのＩＣタグ等を好適に用いることができる。メモリ容量が十分でないＩＣタグを用いる場合であっても、複数枚のＩＣタグを利活用することで、巨大メモリ空間を実現することができる。
【００３０】
（実施形態２）
図８のフローチャートに、本発明の作業支援システムの基本的な処理の流れのその他の例を示す。例えば、作業者ａが建設現場Ａに関する作業を行う場合について説明する。図１と同様の処理には同一の符号を付している。図示のように、作業者ａは、ＩＣタグリーダを有するＰＤＡの電源を入れ（Ｓ１）、前記ＩＣタグリーダで建設現場Ａの動作環境データが格納されているＡ環境用のＩＣタグ（動作環境用ＩＣタグ）を読み込む（Ｓ２）。次いで、前記ＩＣタグリーダで作業者ａ用のＩＣタグ（作業者特定用ＩＣタグ）を読み込む（Ｓ３）。予め前記作業者特定用ＩＣタグに作業者固有のデータを格納しておくことにより、作業者は、前記作業者特定用ＩＣタグをＰＤＡで読み込むだけで、ＰＤＡを自身に適した動作環境に設定することができる。そして、前記Ｓ２工程および前記Ｓ３工程でデータを読み込んだＰＤＡは、前記データを参照して、変数初期値を設定する初期化処理を行う（Ｓ４）。前記初期化処理の後、ロケーション操作の実行が必要か否かを判断する（Ｓ５−１）。実行が不要と判断した場合（Ｎｏ）は、処理は完了する。実行必要と判断した場合（Ｙｅｓ）は、ロケーション操作をする（Ｓ５）。ロケーション操作の後、メンテナンスが必要か否かを判断する（Ｓ６）。メンテナンスが不要と判断した場合（Ｎｏ）は、次のロケーション操作の実行が必要か否かを判断する（Ｓ５−１）。メンテナンスが必要と判断した場合（Ｙｅｓ）は、メンテナンス機能Ａ用のＩＣタグ（メンテナンス機能用ＩＣタグ）を読み込み（Ｓ７）、ＰＤＡにおいてメンテナンス機能を実行してメンテナンス処理を行う（Ｓ８）。メンテナンス処理の後、次のロケーション操作の実行が必要か否かを判断する（Ｓ５−１）。
【００３１】
前記メンテナンス機能用ＩＣタグには、メンテナンス機能の変数初期値および実行プログラムが書かれている。メンテナンス機能に階層的にオプションがあれば、そのオプションにもそれぞれＩＣタグを用意する。
【００３２】
図９は、ＩＣタグに格納される実行プログラムの格納イメージを示す図である。ＩＣタグのユーザ利用領域に、実行プログラムを書き込む。Ａ環境用のＩＣタグデータは、例えば、変数初期値区、レイアウト画面表示区および建材表示処理区を含む。前記変数初期値区には、変数ａ、ｂ、ｃ等に対応する変数初期値ａ、変数初期値ｂ、変数初期値ｃ等のデータが格納されている。前記レイアウト画面表示区には、例えば、建材表示情報の有無や建材表示処理部を判断する実行プログラム（ｉｆ文、Ｌｏｏｐ文等のプログラム）が格納されている。そして、前記建材表示処理区には、建材の画面表示に必要なデータの実行プログラムが格納されている。作業者ａ用のＩＣタグデータは、例えば、システム起動区および変数初期値区を含む。前記システム起動区には、例えばシステムの起動に必要なログインＩＤやパスワード等のデータが格納されている。前記変数初期値区には、作業者ａに適した動作環境データを格納することができる。例えば、ＰＤＡ画面表示において、強調色を黄色にするといった設定ができる。メンテナンス機能Ａ用のＩＣタグデータは、例えば、変数初期値区を含む。前記変数初期値区には、メンテナンス変数ｄ、ｅ、ｆ等に対応する変数初期値ｄ、変数初期値ｅ、変数初期値ｆ等のデータが格納されている。
【００３３】
図１０は、本実施形態の作業支援システムにおける実行プログラムの構成の一例を示す構成図である。本構成図では、前記各ＩＣタグに格納された実行プログラムと、前記ＰＤＡに格納された実行プログラムとの連動イメージを示している。Ａ環境用のＩＣタグには、Ａ環境用の実行プログラムが書き込まれている。作業者ａ用のＩＣタグには、作業者ａが使いやすい実行プログラムが書き込まれている。Ａ環境用のメンテナンス用ＩＣタグには、Ａ環境用のメンテナンス実行プログラムが書き込まれている。作業者が、ＰＤＡで前記Ａ環境用のＩＣタグを読み込むと、ＰＤＡ内に格納されているＰＤＡ動作環境設定プログラムおよび作業別の固有プログラムが、インタプリタ方式で呼び出され、実行される。作業者が、ＰＤＡで前記作業者ａ用のＩＣタグを読み込むと、ＰＤＡ内に格納されている作業者毎の固有設定プログラムが、インタプリタ方式で呼び出され、実行される。そして、作業者が、ＰＤＡで前記Ａ環境用のメンテナンス用ＩＣタグを読み込むと、ＰＤＡ内に格納されている作業別の固有メンテナンスプログラムが、インタプリタ方式で呼び出され、実行される。
【００３４】
本実施形態の作業支援システムによると、システムとして、メンテナンス画面の開発が不要になる。また、メンテナンス機能の追加開発が容易となり、費用の削減が可能となる。また、プログラムのバグの低減にもつながる。なお、通常のメンテナンスは、管理者用と作業者用とで、機能限定される。本実施形態においては、作業者用のＩＣタグを読み取ることで、システムへのログインＩＤやパスワードの入力を不要とすることができる。また、作業者用のＩＣタグは、使用する作業者にあわせて環境設定をすることができる。図１１（ａ）に、本実施形態の作業支援システムでのメンテナンス処理を行う場合の説明図を、図１１（ｂ）に、本発明によらないシステムでのメンテナンス処理を行う場合の説明図を示す。図１１（ｂ）では、ログインＩＤおよびパスワードの入力を行い、認証されると作業メニュー画面となる。作業メニュー画面からメンテナンス画面を呼び出し、例えば画面表示色などを、環境設定用の画面から設定する。これに対して、図１１（ａ）の作業支援システムによると、作業者用のＩＣタグを読み込むことでログインＩＤやパスワードの入力をすることなく、作業画面に入ることができる。次いで、メンテナンスＩＣタグを読み込むと、前記メンテナンスＩＣタグに格納された環境設定値が設定されるので、メンテナンス画面による環境設定を不要とすることができる。したがって、本実施形態の作業支援システムによると、ＰＤＡ操作に慣れていない作業者であっても、容易に環境設定等をすることができる。
【００３５】
（実施形態３）
本実施形態においては、ＩＣタグとして、使用電波帯の異なる複数種類のＩＣタグを使用する。前記使用電波帯の異なる複数種類のＩＣタグとしては、ＵＨＦ帯ＩＣタグおよびＨＦ帯ＩＣタグがよく利用される。ＰＤＡがいずれか一方の使用電波帯に対応したＩＣタグリーダライタのみを内蔵している場合、他方の使用電波帯に対応したＩＣタグリーダライタをＵＳＢ接続等で外付けして用いることができる。図１２は、このようなＩＣタグリーダライタを有するＰＤＡ１０の一例を示す。本例では、ＰＤＡ１０に、ＵＨＦ帯ＩＣタグリーダライタ１１が内蔵されており、ＨＦ帯ＩＣタグリーダライタ１２が外付けされている。図１３に、前記ＰＤＡ１０を使用する場合の各ＩＣタグに格納されたデータの構成の一例を示す。本例においては、ＵＨＦ帯ＩＣタグを、まずＵＨＦ帯ＩＣタグリーダライタ１１で読み込み、次にＨＦ帯ＩＣタグを読み込む。前記ＵＨＦ帯ＩＣタグには、Ａ情報データとＨＦ帯切替プログラムデータとが含まれている。前記ＵＨＦ帯ＩＣタグを読み込むと、ＨＦ帯切替プログラムが起動し、前記ＰＤＡ１０には、ＨＦ帯ＩＣタグリーダライタ１２からの読み込みが可能となったことを示す画面が表示される。次に、ＨＦ帯ＩＣタグをＨＦ帯ＩＣタグリーダライタ１２で読み込む。前記ＨＦ帯ＩＣタグには、Ｂ情報データとＵＨＦ帯切替プログラムデータとが含まれている。前記ＨＦ帯ＩＣタグを読み込むと、ＵＨＦ帯切替プログラムが起動し、前記ＰＤＡには、ＵＨＦ帯ＩＣタグリーダライタ１１からの読み込みが可能となったことを示す画面が表示される。このように、本実施形態においては、画面操作でのＵＨＦ帯とＨＦ帯との切り替えを不要とすることができ、ＵＨＦ帯ＩＣタグと、ＨＦ帯ＩＣタグとを、１台のＰＤＡで容易に読み取りが可能となる。
【００３６】
（実施形態４）
本発明の作業支援システムは、例えば、構成員が流動的な状態の多数の作業者が関与する作業現場において次のように使用できる。一例として、作業者ｘが、建材置き場から建材Ｘを運搬し、積み込み作業を行い出荷する作業の場合は、次のようにして行う。作業者ｘは、作業開始時に、ＩＣタグリーダを有するＰＤＡと作業者特定用ＩＣタグ（作業者ｘ用）とを渡される。作業者ｘ用ＩＣタグには、作業者ｘの特性や作業内容に応じたデータが格納されている。まず、作業者ｘが、ＰＤＡで自分の作業者特定用ＩＣタグを読むことにより、ＰＤＡの画面の色や表示される文字の大きさ等の動作環境が作業者ｘに最適なものとなる。そして、画面上には、作業者ｘに割り当てられた作業内容一覧として、「建材配置」、「移動」、「出荷」の各項目が表示される。各項目の表示には、作業場所の表示と、動作環境用ＩＣタグのタグ番号が併記されている。作業者ｘは、前記表示に従い、「建材配置」の項目に併記された第一の作業場所に行く。そして、第一の作業場所に設置されている動作環境用ＩＣタグの中から、併記されたタグ番号と同じ番号のＩＣタグをＰＤＡで読み込む。すると、ＰＤＡの画面には、作業者ｘが第一の作業場所ですべき作業内容の詳細が表示される。画面には、第一の作業場所のレイアウト図が表示され、作業者ｘが運搬すべき建材Ｘの場所が強調されて示される。前記レイアウト図に従い、作業者ｘは、建材Ｘの場所に向かう。建材Ｘを確認したら、建材Ｘに貼付されたＩＣタグをＰＤＡで読み込むと、建材Ｘについての作業内容が表示される。ここで、万一、異なる建材のＩＣタグを読み込んでしまった場合には、例えば、「建材が間違っています。確認して正しい建材データを読み込んでください。」と表示される。建材Ｘについての作業内容が表示されたら、表示に従い作業を行う。第一の作業場所で建材Ｘに梱包等の処置が必要な場合には、その作業内容が表示される。梱包材の保管場所や、梱包に使用する用具等の情報も表示される。この表示に従い、作業者ｘは、建材Ｘを梱包する。梱包が完了し、用具を返却したら、用具返却場所に設置されている指定されたＩＣタグを読み込むと、第一の作業場所での作業が終了とされ、作業内容一覧画面に戻る。このとき、ＰＤＡにＩＣタグライタの機能を付与しておき、用具返却場所のＩＣタグなどに、建材Ｘ梱包完了情報を書き込むようにすると、後から管理者がこの情報を参照することで工程管理も可能となる。次に、作業者ｘは、「移動」の項目に併記された動作環境用ＩＣタグのタグ番号と同じ番号のＩＣタグをＰＤＡで読み込む。すると、ＰＤＡには、梱包後の建材Ｘの運搬方法と移動場所が表示される。前記表示には、その移動場所での動作環境用ＩＣタグのタグ番号が併記されている。建材Ｘを指定の移動場所まで運搬したら、その場所に設置されている動作環境用ＩＣタグの中から、併記されたタグ番号と同じ番号のＩＣタグをＰＤＡで読み込む。すると、建材Ｘの置き方や作業内容等が表示される。第一の作業場所での作業と同様にＰＤＡの指示に従って作業を行い、一連の作業が終了したら、作業者ｘは、「出荷」の項目に併記された動作環境用ＩＣタグのタグ番号と同じ番号のＩＣタグをＰＤＡで読み込む。すると、ＰＤＡには、積み込むべきトラックの番号、積み込み順等が表示される。トラックにも動作環境用ＩＣタグを付与しておくと、積み込み間違い等を防ぐことができる。また、トラックに付与された動作環境用ＩＣタグに、作業者ｘのＰＤＡに格納された情報を書き込んでおき、出荷時にゲート等でその情報を読み出して保存する。作業者ｘのＰＤＡに格納された情報には積み込まれた建材Ｘの情報、梱包状況、移動状況、作業日等が含まれている。出荷ゲートにおいてサーバと接続できる環境を整えておけば、製品ロケーション情報をサーバ管理することができる。このような作業現場では、作業者のＩＴスキルや、その作業についての熟練度が、様々であることもある。本発明の作業支援システムは、ＰＤＡ等に不慣れな作業者であっても、ＩＴ機器を容易に操作可能である。また、作業自体の手順も詳細に表示させることができるので、新しく臨時で現場に入った作業者に対しても、マン・ツー・マンでの指示をする必要がなく、作業を効率的に、また、確実に行わせることができる。また、入力されたデータから作業の進捗や対象物のロケーション等のチェックも可能である。
【産業上の利用可能性】
【００３７】
本発明は、工場現場、建築現場、農業現場など、各分野において適用することができ、その用途は広範である。
【符号の説明】
【００３８】
１０  携帯情報端末（ＰＤＡ）
１１  ＵＨＦ帯ＩＣタグリーダライタ
１２  ＨＦ帯ＩＣタグリーダライタ
【図１】
2011170428.tif 000003
【図２（ａ）】
2011170428.tif 000004
【図２（ｂ）】
2011170428.tif 000005
【図３】
2011170428.tif 000006
【図４】
2011170428.tif 000007
【図５】
2011170428.tif 000008
【図６】
2011170428.tif 000009
【図７】
2011170428.tif 000010
【図８】
2011170428.tif 000011
【図９】
2011170428.tif 000012
【図１０】
2011170428.tif 000013
【図１１】
2011170428.tif 000014
【図１２】
2011170428.tif 000015
【図１３】
2011170428.tif 000016